(57)【要約】【課題】  施工性が良く、良好に溝蓋を側溝の上面に固定させることのできる止金具を提供する。【解決手段】  側溝１，２，４の上面に覆設される溝蓋５を側溝に固定させるための止金具１０は、上端の引っ掛け部１２ａ，１２ｂから垂設された縦棒１１と、この縦棒１１に上下動かつ回転可能に設けられた係止部材１３と、この係止部材１３を常には上方へ付勢するバネ１５を備え、引っ掛け部１２ａ，１２ｂを溝蓋５の構成部材８に引っ掛けて、係止部材３を溝蓋５の下方に配設した状態で、溝蓋の上方より治具で係止部材１３を下方へ押圧しながら回転させて、係止部材１３を側溝１に係合させることができるように構成されている。【選択図】        図７
2006052584.tif 000002
【特許請求の範囲】
【請求項１】
側溝の上面に覆設される溝蓋を前記側溝に固定させるための止金具であって、該止金具は、上端の引っ掛け部から垂設された縦棒と、該縦棒に上下動かつ回転可能に設けられた係止部材と、該係止部材を常には上方へ付勢するバネを備え、前記引っ掛け部を前記溝蓋の構成部材に引っ掛けて前記係止部材を溝蓋の下方に配設した状態で、溝蓋の上方より治具で前記係止部材を下方へ押圧しながら回転させて該係止部材を側溝に係合させることができるように構成されていることを特徴とする溝蓋止金具。
【発明の詳細な説明】
【技術分野】
【０００１】
本発明は、側溝の上面に覆設される溝蓋を、側溝に固定させるための止金具に関するものである。
【背景技術】
【０００２】
側溝の上面に覆設される溝蓋は、その上面に車等が乗った場合等に側溝から外れて飛ばされる虞れがないように、また、ガタつきを防いで騒音が発生することを無くするために、従来では、例えば特許文献１に開示されているように、側溝にボルトを設け、このボルトに溝蓋を固定している。
【特許文献１】特許第２９０７３２９号公報
【発明の開示】
【発明が解決しようとする課題】
【０００３】
従来のような溝蓋の固定方法では、側溝側にボルトを設ける必要があり、このボルトに対する溝蓋の位置決め等が必要となり、施工が面倒であるという問題点があった。
【課題を解決するための手段】
【０００４】
本発明は上記従来の問題点に鑑み案出したものであって、側溝側にはボルト等を設ける必要がなく、良好に溝蓋を側溝に固定させることのできる止金具を提供せんことを目的とし、その請求項１は、側溝の上面に覆設される溝蓋を前記側溝に固定させるための止金具であって、該止金具は、上端の引っ掛け部から垂設された縦棒と、該縦棒に上下動かつ回転可能に設けられた係止部材と、該係止部材を常には上方へ付勢するバネを備え、前記引っ掛け部を前記溝蓋の構成部材に引っ掛けて前記係止部材を溝蓋の下方に配設した状態で、溝蓋の上方より治具で前記係止部材を下方へ押圧しながら回転させて該係止部材を側溝に係合させることができるように構成されていることである。
【発明の効果】
【０００５】
本発明の止金具は、上端の引っ掛け部から垂設された縦棒と、縦棒に上下動かつ回転可能に設けられた係止部材と、係止部材を常には上方へ付勢するバネを備えていることにより、側溝の上面に溝蓋を覆設させて、その状態で、溝蓋の構成部材に止金具の引っ掛け部を引っ掛けて、止金具の係止部材を溝蓋の下方に配設し、この状態で、溝蓋の上方より治具を溝蓋の下方に差し込んで、治具で止金具の係止部材を下方へ押圧しながら回転させることにより、止金具の係止部材を側溝に良好に係合させることができて、止金具を介して溝蓋を側溝に強固に固定させることができ、施工が容易であり、側溝側にはボルト等を設ける必要がなく、しかも、あらゆる形状の溝蓋を側溝に固定させることができるものとなる。
【実施例】
【０００６】
以下、本発明の実施例を図面に基づいて説明する。
図１は、側溝の上面に溝蓋を覆設し、この溝蓋を止金具で側溝に固定した状態の側溝の縦断面構成図である。
図において、側溝は、コンクリートで形成された円型断面の円型側溝１の上面には、上方へ立ち上げ状に縦溝２が形成されており、この縦溝２の上端には、横方向へ段状に受け部３が形成されて、受け部３から上方に向かって装着溝４が形成されている。
【０００７】
この装着溝４内に上方より溝蓋５を装着して設置できるものであり、溝蓋５は、例えば図２の斜視図で示すような形状のものがある。
即ち、図２で例示する溝蓋５は、左右両端側に長手方向に延びる板状のエンドバー６ａ，６ｂが立設され、この左右のエンドバー６ａ，６ｂ間には、間隔をおいて複数枚の板状の主部材７，７，７，７が平行状に立設されており、各主部材７の上面には滑り止め用の複数の凹部７ａが間隔をおいて形成されている。
なお、この複数の主部材７，７，７を連結する横バー８，８がエンドバー６ａ，６ｂ間に横方向に設けられている。
【０００８】
図４に示すように、この横バー８の上面には、間隔をおいて嵌合溝８ａ，８ａ，８ａが上方を開放させた状態で形成されており、各嵌合溝８ａ内にそれぞれ主部材７が嵌め込まれて溶接等で固定されている。
この溝蓋５のエンドバー６ａ，６ｂを装着溝４の内壁に沿って嵌め込み状にして、溝蓋５を円型側溝１の上面に覆設することができ、その状態で、覆設した溝蓋５を円型側溝１に固定するために、図３に示すような止金具１０が用いられる。
【０００９】
この止金具１０は、縦棒１１の上端に立上板１２が溶接等で固定されており、立上板１２は上方へ延びて、その上端が逆Ｕ字状に折り曲げ形成されて、左右の引っ掛け部１２ａ，１２ｂを形成しており、引っ掛け部１２ａ，１２ｂ間には縦方向のスリット１２ｃが形成されている。
また、縦棒１１の外周にはガイド筒部１４が遊嵌されており、このガイド筒部１４の下端には係止部材１３が固定されており、係止部材１３は、略水平な上面片１３ａと、上面片１３ａの左右端から傾斜状に外側へ広がって傾斜片１３ｂ，１３ｂが折り曲げ形成されており、さらに左右側の傾斜片１３ｂ，１３ｂの下端には、更に緩い傾斜で外側へ広がる係合片１３ｃ，１３ｃが一体形成されている。
【００１０】
なお、この係止部材１３の上面片１３ａの下方側の縦棒１１の外周にはバネ１５が装着されており、バネ１５は縦棒１１の下端のナット部１１ａ上に設けられている。従って、常にはこのバネ１５の付勢力により係止部材１３及びガイド筒部１４は上方側へ付勢されている。
なお、係止部材１３の上面片１３ａには２個の貫通孔１３ｄ，１３ｄが貫通形成されている。
このように、ガイド筒部１４が縦棒１１に対し上下動かつ回転可能に遊嵌されているため、係止部材１３も縦棒１１に対して上下動かつ回転可能となっている。
【００１１】
装着溝４内に溝蓋５を嵌め込んだ後に、図４に示すように、止金具の引っ掛け部１２ａ，１２ｂを溝蓋５の横バー８に引っ掛けて、止金具１０の係合部材１３を溝蓋５の下方側の縦溝２内に配置することができ、この止金具１０は溝蓋５の側面側から容易に引っ掛け部１２ａを横バー８に引っ掛けて取り付けできるものである。
なお、止金具１０のスリット１２ｃ内には溝蓋５の中央部の主部材７が嵌まり込むものである。
【００１２】
この図４の状態から、図５に示すような治具１６を、溝蓋５の上方から貫通孔１３ｄ，１３ｄ内に差し込むことができる。
即ち、治具１６は、上端に横方向に延びるハンドル部１６ａを有し、ハンドル部１６ａの中央部から垂下状に垂下棒１６ｂが一体形成され、垂下棒１６ｂの下端には二股状に挿入ピン部１６ｃ，１６ｃが形成されており、この一対の挿入ピン部１６ｃ，１６ｃを止金具１０の係止部材１３の貫通孔１３ｄ，１３ｄ内に上方より挿入できるものである。
【００１３】
図６では、挿入ピン部１６ｃ，１６ｃを貫通孔１３ｄ，１３ｄ内に挿入した状態を示している。この図６のように、上方側から治具１６を挿入させて、溝蓋５の上方で治具１６のハンドル部１６ａを水平方向に回転させることにより、止金具１０の係止部材１３を水平面内で回転させることができるものである。
【００１４】
なお、この場合に、治具１６を下方側へ押圧して、バネ１５の付勢力に抗して係止部材１３を縦溝２の下端よりも下方の円型側溝１内に配置させて、押圧しながらハンドル部１６ａを回転させて、係止部材１３を略９０°回転させることにより、図７に示すように、良好に係止部材１３の左右両端の係合片１３ｃ，１３ｃを円型側溝１の上端内周面に係合させることができ、この状態では、バネ１５の付勢力により係止部材１３は円型側溝１の上端内周面に強く押圧された状態となり、これにより強固に止金具１０を介して溝蓋５が装着溝４内に固定状態で保持され、溝蓋５のガタつきが生ずることがなく、溝蓋５上面に車等が乗った場合でも音が発生しにくくなり、また溝蓋５が装着溝４から飛び上がって抜脱するようなこともない。
なお、１個の溝蓋５に対して、その長手方向両端側にそれぞれ止金具１０を設けて、長手方向両端側を一対の止金具１０で強固に固定することができるものである。
【００１５】
なお、本例では、図２に示すような形状の溝蓋５を固定する場合を例示しているが、この溝蓋５の形状は、止金具１０の引っ掛け部１２ａ，１２ｂを引っ掛けることのできる横バー８が存在する溝蓋５ならば、どのような形状のものであっても良く、製造メーカーの異なる複数種類の溝蓋５に対しても良好に対応させて、止金具１０を介して溝蓋５を側溝に良好に固定できるものとなり、止金具１０は汎用性があり、現場で容易に施工して溝蓋５を固定できるものである。
【図面の簡単な説明】
【００１６】
【図１】円型側溝に溝蓋を止金具で固定した状態の縦断面構成図である。
【図２】溝蓋の一例を示す斜視構成図である。
【図３】止金具の斜視構成図である。
【図４】溝蓋に止金具を引っ掛けて、止金具を側溝内に配置した状態の斜視構成図である。
【図５】止金具を操作するための治具の斜視構成図である。
【図６】治具を用いて止金具の係止部材を回転させる状態の作業説明図である。
【図７】止金具の係止部材を回転させて側溝に係合させた状態の斜視構成図である。
【符号の説明】
【００１７】
１  円型側溝
２  縦溝
３  受け部
４  装着溝
５  溝蓋
６ａ，６ｂ  エンドバー
７  主部材
８  横バー
８ａ  嵌合溝
１０  止金具
１１  縦棒
１１ａ  ナット部
１２  立上板
１２ａ，１２ｂ  引っ掛け部
１２ｃ  スリット
１３  係止部材
１３ａ  上面片
１３ｂ  傾斜片
１３ｃ  係合片
１３ｄ  貫通孔
１４  ガイド筒部
１５  バネ
１６  治具
１６ａ  ハンドル部
１６ｂ  垂下棒
１６ｃ  挿入ピン部
【図１】
2006052584.tif 000003
【図２】
2006052584.tif 000004
【図３】
2006052584.tif 000005
【図４】
2006052584.tif 000006
【図５】
2006052584.tif 000007
【図６】
2006052584.tif 000008
【図７】
2006052584.tif 000009